(57)【要約】      （修正有）【課題】スライドレールの延長効果を実現できて、より良い操作適応性を有し、全体の自動復帰動作を良好に行え、故障し難い自動復帰機能付き延長式スライドレール装置を提供する。【解決手段】底部レール１０、中央レール、内側レール３０、制御台、摺動蓋体、揺動部材、及び連動部を備え、中央レール空間を有する中央レールを底部レールの底部レール空間に滑嵌合する。さらに、内側レールを中央レール空間に滑嵌合し、内側レール３０の後部端の隣接箇所に固定穴３２を有し、摺動溝を設けられ、摺動溝の全部端に溝係止端と、斜め溝を形成した制御台は底部レールの後部端に固着する。又、制御台にて摺動自在に滑嵌合した摺動蓋体と制御台との間にスプリングが連結され、制御台と摺動蓋体との間に設ける揺動部材はその上面に楕円形の通し穴を通じて突出する突起ピンを設けるとともに、その底面に摺動溝に滑嵌合する案内つばを設け、内側レールの固定穴に固着する連動部７０の底面には後部端の接ぎあわせ溝と前部端の斜め係止溝とを含む連動溝を設け、連動溝には突起ピンを挿入する。【選択図】図５
0003164269.tif 000002
【実用新案登録請求の範囲】
【請求項１】
底部レールと、中央レールと、内側レールと、制御台と、摺動蓋体と、揺動部材と、連動部とを備えた自動復帰機能付き延長式スライドレール装置であって、
前記底部レールは、底部レール空間を備え、
前記中央レールは、前記底部レール空間に滑り嵌められ、前記中央レールは中央レール空間を備え、
前記内側レールは、前記中央レール空間に滑り嵌められ、前記内側レールの後部端の隣接場所に固定穴が設けられ、
前記制御台は、前記底部レールの後部端に固着され、前記制御台に摺動溝が設けられ、前記摺動溝の先端部に溝係止端と斜め溝が形成され、
前記摺動蓋体は、摺動自在にて前記制御台に滑り嵌められ、前記摺動蓋体と前記制御台との間に、少なくとも一つのスプリングが連結され、前記摺動蓋体の後部端に楕円形通し穴を設けられていて、
前記揺動部材は、前記制御台と前記摺動蓋体との間に設けられ、前記揺動部材の上面に楕円形通し穴より突き出す突起ピンと、底面にそれぞれ設けられた案内つばとを有し、前記案内つばが前記摺動溝に滑嵌合されていて、
前記連動部は、前記内側レールの前記固定穴に固着され、前記連動部の底面に連動溝が設けられ、前記連動溝は後部端の接ぎあわせ溝と前部端の斜め係止溝とを含み、前記連動溝は前記突起ピンを挿入し連結伝動に備えることを特徴とする、
自動復帰機能付き延長式スライドレール装置。
【請求項２】
少なくとも一つの緩衝部材をさらに含み、前記緩衝部材の両端はそれぞれ前記制御台の後部端と、前記摺動蓋体の前部端に固着されることを特徴とする、請求項１記載の自動復帰機能付き延長式スライドレール装置。
【請求項３】
前記摺動蓋体は、前記緩衝部材に対して被せ保護作用を有する緩衝溝が設けられていることを特徴とする、請求項１記載の自動復帰機能付き延長式スライドレール装置。
【請求項４】
前記楕円形通し穴は、斜め状に形成されていることを特徴とする、請求項１記載の自動復帰機能付き延長式スライドレール装置。
【請求項５】
前記摺動蓋体の上面に前記連動部を収容するための収容凹部が設けられ、前記収容凹部は前記楕円形通し穴によって貫通して連絡されていることを特徴とする、請求項１記載の自動復帰機能付き延長式スライドレール装置。
【請求項６】
前記揺動部材は、斜めに偏った三角形状を呈していて、その側面の偏った位置に案内つばが形成されていることを特徴とする、請求項１記載の自動復帰機能付き延長式スライドレール装置。
【請求項７】
前記連動部は正方形のブロック体からなり、前記連動部の上面には前記固定穴に固着するための固定部が設けられていることを特徴とする、請求項１記載の自動復帰機能付き延長式スライドレール装置。
【請求項８】
前記接ぎあわせ溝と、前記斜め係止溝との間に側面調整溝が設けられていることを特徴とする、請求項１記載の自動復帰機能付き延長式スライドレール装置。
【請求項９】
前記中央レールの前部端に緩衝係止具が固着されていることを特徴とする、請求項１記載の自動復帰機能付き延長式スライドレール装置。
【請求項１０】
前記緩衝係止具の両側に側面保護部が設けられ、前記緩衝係止具の前部端に少なくとも一つの弾性曲面アームと、支え棒が設けられ、前記内側レールの前部端に前記弾性曲面アームを当接するための弾性曲面アームの端板が設けられていることを特徴とする、請求項９記載の自動復帰機能付き延長式スライドレール装置。
【考案の詳細な説明】
【技術分野】
【０００１】
本考案は一種のスライドレール構造に関し、特にスライドレールの伸長効果を延長でき、構造が単純確実で、作動が円滑に行え、優れた操作性を有する自動復帰機能付き延長式スライドレール装置に関する。
【背景技術】
【０００２】
引き出し式キャビネット体は各種収納、貯蔵具で大量に応用されている。
キャビネット体（または引き出し）の引き出し操作の便利性を図るため、キャビネット体（または引き出し）は通常、両側にスライドレールが結合され位置決め摺動として使われている。
さらに、キャビネット体（または引き出し）の安定した閉合を図るため、スライドレールはさらに自動復帰機構が取り付けられている。
キャビネット体（または引き出し）が最終段に押し込まれたとき、該自動復帰機構により、キャビネット体（または引き出し）が牽引されて、後ろ側へ自動的に仕送りされ、安定な閉合状態を形成する。
公知のスライドレール付きの自動復帰技術は図１に示すように、順に追って滑り嵌められた底部レール９０と、中央レール９１と内側レール９２を含む。制御台９３は底部レール９０に固着され、制御台９３は緩衝部材９３１と、スプリング９３２と前方に延在する案内板９３３とを設けられている。案内板９３３は案内溝９３４と、案内溝９３４前方の斜め溝９３５を設けられている。摺動蓋９４は制御台９３に滑り嵌められ、摺動蓋９４の前部端は緩衝部材９３１と、スプリング９３２に連結され、摺動蓋９４に作動溝９４１を設けられている。揺動部材９５は案内板９３３の案内溝９３４滑り嵌め、摺動蓋９４の作動溝９４１に設けられている。連動部９６を内側レール９２の取付穴９２１に固着させ、揺動部材９５との連動により、スライドレール操作に自動復帰の効果を有する。
【考案の概要】
【考案が解決しようとする課題】
【０００３】
前述した公知技術は引出しの自動復帰機能を発揮できるものの、連動部９６に固着されている固定穴９２１の位置が内側レール９２の後部端までにかなりの距離があるため、内側レール９２の伸長距離は固定穴９２１の位置によって制限される。
すなわち、固定穴９２１後段の内側レール９２の距離を利用できず、伸長距離が最良、最理想な設計と言えない。
さらに、揺動部材９５、摺動蓋９４と連動部９６との間の構造が複雑で、操作に誤動作や滞りを引き起するため改善の必要がある。
よって、公知技術の自動復帰スライドレールに係わる技術手段の課題を解決することが当業者において克服すべき重要な課題となっている。
【０００４】
本考案は、公知技術のスライドレールの自動復帰技術手段の欠点及びその構造が理想でない現状を改善するためになさされたもので、より延長性、順調性と耐用性の高い自動復帰機能付き延長式スライドレール装置の開発を目指して、社会に貢献すると共に、業界の発展に寄与すべく、種々研究を経て本考案を想到した。
【課題を解決するための手段】
【０００５】
本考案の目的はスライドレールの伸長効果が延長され、より良い操作の応用性を有し、全体の自動復帰動作に極めて良い順調性と作動質感を有し、作動が確実で、故障しにくい、組立簡単等の長所を取り揃え、実用性と製品競争力を積極に向上できる、自動復帰機能付き延長式スライドレール装置を提供することにある。
【０００６】
前述の目的を達成するため本考案に係る自動復帰機能付き延長式スライドレール装置は、底部レールと、中央レールと、内側レールと、制御台と、摺動蓋体と、揺動部材と、連動部とを備える。底部レールは、底部レール空間を有する。中央レールは底部レール空間に滑り嵌められ、中央レールは中央部に中空部を備える。内側レールは中央レール空間に滑り嵌められ、内側レールの後部端の隣接場所に固定穴を設けられている。制御台は、底部レールの後部端に固着され、制御台に摺動溝を設けられ、摺動溝の前部端に溝係止端と斜め溝を形成されている。摺動蓋体は、制御台に滑り嵌められ、摺動蓋体と制御台との間に、少なくとも一つのスプリングが連結されており、摺動蓋体の後部端に楕円形通し穴を設けられている。揺動部材は、制御台と摺動蓋体との間に設けられ、揺動部材の上面に楕円形通し穴より突き出す突起ピンと、底面に案内つばをそれぞれ設け、案内つばは摺動溝に滑り嵌められている。連動部は内側レールに備える固定穴に固着され、連動部の底面に連動溝を設けられ、連動溝は後部端の接ぎあわせ溝と前部端の斜め係止溝とを有し、連動溝は突起ピンの挿入によって連結が伝動される。
【図面の簡単な説明】
【０００７】
【図１】公知のスライドレールの自動復帰機構を示す図である。
【図２】本考案に係る自動復帰機能付き延長式スライドレール装置の分解概略図である。
【図３】本考案に係る自動復帰機能付き延長式スライドレール装置の局所分解概略図（その１）である。
【図４】本考案に係る自動復帰機能付き延長式スライドレール装置の局所分解概略図（その２）である。
【図５】本考案に係る自動復帰機能付き延長式スライドレール装置の組合せ概略図である。
【図６】本考案に係る自動復帰機能付き延長式スライドレール装置の組合せ上視概略図である。
【図７】本考案の引き出し操作を示す図（その１）である。
【図８Ａ】本考案の引き出し操作を示す図（その２）である。
【図８Ｂ】本考案の引き出し操作を示す図（その３）である。
【図９Ａ】本考案の引き出し操作を示す図（その１）である。
【図９Ｂ】本考案の引き出し操作を示す図（その２）である。
【図９Ｃ】本考案の引き出し操作を示す図（その３）である。
【図１０】本考案の緩衝係止具の構造を示す図である。
【考案を実施するための形態】
【０００８】
以下図面を参照しながら本考案の実施例について詳細に説明する。
【実施例】
【０００９】
図２ないし４を参照する。本考案の自動復帰機能付き延長式スライドレール装置は、底部レール１０と、中央レール２０と、内側レール３０と、制御台４０と、摺動蓋体５０と、揺動部材６０と、連動部７０とを備える。
底部レール１０はキャビネット体（図示しない）に固着されている。底部レール１０は底部レール空間１１を有し、底部レール１０の後部端に取付穴１２を設けられている。
中央レール２０は底部レール１０の底部レール空間１１に滑り嵌められ、中央レール２０に中央レール空間２１を有する。
内側レール３０を引出しまたはキャビネット体（図示しない）に固着され、内側レール３０は中央レール２０の中央レール空間２１に滑り嵌められ、内側レール３０の内側レールの後部端３１の隣接場所に固定穴３２を設けられる。固定穴３２はたとえば、正方形の穴である。
【００１０】
本考案はさらに制御台４０を含む。制御台４０の両側には緩衝部材４１と、緩衝部材４１の内側に２つのスプリング溝４２がそれぞれ設けられる。
緩衝部材４１の後部端は制御台４０の後部端の末端台部４５に固着される。スプリング溝４２にスプリング４４を設ける。スプリング４４の一端を後部末端台部４５の挟着部４２１に固定する。末端台部４５に取付穴４６を設け、取付穴４６を底部レール１０後部端の取付穴１２に固着（たとえば、締め付け）させ、制御台４０を底部レール空間１１に固定させる。
制御台４０のほぼ中央位置に摺動溝４３を設け、摺動溝４３の前部端に斜め溝４３１と溝係止端４３２とを形成している。
【００１１】
摺動蓋体５０は摺動自在にて、制御台４０に滑嵌合される。摺動蓋体５０に両側が釣り合う緩衝溝５１と底面のスプリング溝５２を設けられ、緩衝部材４１とスプリング４４をそれぞれ被せて保護しておく。
そのうち、緩衝部材４１の前部端は緩衝溝５１前部端の挟持端部５１０に固着され、スプリング４４の前部端はスプリング溝５２前部端の係合部５２１に固着されている。
摺動蓋体５０の後端部のほぼ中央に斜めの楕円形通し穴５３を設ける。摺動蓋体５０の上面に収容凹部５４を設ける。収容凹部５４は楕円形通し穴５３によって貫通して連絡している。
【００１２】
揺動部材６０は制御台４０と摺動蓋体５０との間に設けられる。
揺動部材６０は略斜めに偏った三角形状を呈していて、その上面に突起ピン６１と底面に案内つば６２がそれぞれ設けられている。突起ピン６１は摺動蓋体５０の楕円形通し穴５３に突き出している。
案内つば６２は揺動部材６０の中心から外れた位置に偏倚して設置されていて、制御台４０の摺動溝４３に滑嵌合される。
【００１３】
連動部７０は略正方形のブロック状を呈している。連動部７０は摺動蓋体５０の収容凹部５４に設けられる。連動部７０の上面には固定部７１が設けられている。
固定部７１は連動部７０が内側レール３０に連動できるように、内側レール３０の固定穴３２（図２に示す）に固着させる。
連動部７０の底面には連動溝７２が設けられている。連動溝７２は後部端の直立状の接ぎ合わせ溝７２０および接続する側面調整溝７２１と前部端の斜め係止溝７２２を備える。
さらに、前述揺動部材６０の突起ピン６１を摺動蓋体５０の楕円形通し穴５３をくぐらして、連動溝７２（図６に示す）に挿入することにより、連動部７０が揺動部材６０に連動すると共に、揺動部材６０は案内つば６２によって制御台４０の摺動溝４３にて摺動できる。
【００１４】
図７を参照する。本考案の動復帰機能付き延長式スライドレール装置を操作するとき、引出し（またはキャビネット体）の引き出し操作は、内側レール３０は手前方向に引き出されて摺動伸長され、連動部７０を連動して移動させ、連動部７０が引き続き揺動部材６０の突起ピン６１を牽引することにより、揺動部材６０は案内つば６２が制御台４０に備える摺動溝４３を通過し前方に摺動されると共に、摺動蓋体５０も前に進む。すなわち、摺動蓋体５０が制御台４０に対して移動される。このとき、緩衝部材４１とスプリング４４は次第に伸長される状態を形成する。
【００１５】
図８Ａ、８Ｂを合わせて参照する。連動部７０が前へ引き続きに進むことにより、揺動部材６０の案内つば６２を摺動溝４３の溝係止端４３２に係止されたとき、揺動部材６０（案内つば６２）は牽引されて、斜め溝４３１に向かって傾き、突起ピン６１は楕円形通し穴５３の内部にて傾斜すると共に、突起ピン６１を斜め係止溝７２２から接ぎあわせ溝７２０に対応する方向の位置に移動される。
突起ピン６１は牽引力によって接ぎあわせ溝７２０より、連動溝７２を引き離す。すなわち、揺動部材６０は連動部７０の連動を離脱される。
このとき、連動部７０と揺動部材６０と摺動蓋体５０の切り離しにより、内側レール３０と連動部７０は引出し（またはキャビネット体）の引出し操作に従って、引き続き前方に作動し、引出し（またはキャビネット体）の引出し操作を完成させる。
一方、揺動部材６０はスプリング４４の摺動蓋体５０に対する牽引力により、案内つば６２を後ろ向きに斜め溝４３１にあてがい固定し、摺動蓋体５０を一時固定させる。図８Ｂに示すように、スプリング４４は最終の伸長状態を形成する。
【００１６】
前記の引き出し（またはキャビネット体）の引き出し操作するとき、内側レール３０は中央レール２０にて摺動伸長される。
摺動蓋体５０が作動し始めると、引き出し（またはキャビネット体）が最終の引き出し状態まで、中央レール２０も摺動蓋体５０の推し進めと内側レール３０の連動により摺動伸長される。
【００１７】
引き続き図９Ａを参照する。引き出し（またはキャビネット体）を後部に押し込み閉合操作のとき、内側レール３０、中央レール２０は引き続き引き出し（またはキャビネット体）が後部側への押し込みによって移動し収束される。
一方、連動部７０も内側レール３０に追随して後部に移動される。連動部７０の接ぎあわせ溝７２０が揺動部材６０の突起ピン６１に照準し接触されたとき、突起ピン６１は連動部７０の寄りつけに従い、連動溝７２に進入される。
図９Ｂに示すように、連動部７０が引き続きに寄りつけによる推力で傾きを形成し、斜め係止溝７２２に進入される。
このとき、連動部７０の傾斜動作により、案内つば６２は溝係止端４３２のあてがいを離脱され、ふたたび摺動溝４３に照準しスプリング４４の戻り付勢力を引き続きに受け、摺動蓋体５０を後側（図９Ｃに示す）に進む。
このとき、内側レール３０、引き出し（またはキャビネット体）が自動復帰の働きを発揮し、緩衝部材４１の緩衝作用により緩やかな閉合操作質感が得られる。摺動蓋体５０が制御台４０後部端の末端台部４５の位置に復帰したときに均衡に固定され、引き出し（またはキャビネット体）の自動復帰操作機能を完了する。
【００１８】
続いて、図１０を参照する。本考案はさらに中央レール２０の前部端の両側に固着溝２２、２３と、中央場所に取付穴２４と、緩衝係止具８０とを具備する。
緩衝係止具８０の上方の両側には固着部８１、８２と、中央場所に取付穴８３を設けられ、固着部８１、８２をそれぞれ固着溝２２、２３に係止される。取付穴２４、８３の固着（たとえば、締め付け）により、緩衝係止具８０は中央レール２０の前部端に固着される。
緩衝係止具８０の両側に側面保護部８４が設けられ、緩衝係止具８０の前部端に一対の弾性曲面アーム８５と、弾性曲面アーム８５の間に支え棒８６を設けられている。
これにより、内側レール３０が中央レール２０に寄りつけたとき、内側レール３０前部端の端板３３は弾性曲面アーム８５、支え棒８６のあてがいにより、金属同士の接触による騒音は防止され、緩衝、静粛の効果を実現する一方、中央レール２０が底部レール１０に寄りつけたとき、側面保護部８４も同様な効果を有する。
【００１９】
本考案は揺動部材と連動部の簡単な構成と相互作用の配置により、極めて良好な稼働性および順調性と作動の質感を得ることができることのほかに、故障し難く、組立てが容易であるといった長所を有する。
さらに重要なことは、本考案は連動部を内側レールの後部端の隣接場所に設けることにより、内側レールの延長効果のほか、格段の操作性を有し、実用性と製品競争力を積極に向上することができる。
【００２０】
以上に説明した本考案の実施例は、本考案の好ましい実施例であり、本考案を何ら制限するものではない。よって、本考案の実用新案登録請求範囲に掲げた形状、構造、特長および精神に基づいた適宜行う変更と修飾は、本考案に含まれるものである。
【符号の説明】
【００２１】
１０・・・・・・底部レール
２０・・・・・・中央レール
３０・・・・・・内側レール
１１・・・・・・底部レール空間
１２・・・・・・取付穴
２１・・・・・・中央レール空間
３１・・・・・・内側レールの後部端
３２・・・・・・固定穴
４０・・・・・・制御台
４１・・・・・・緩衝部材
４２・・・・・・スプリング溝
４５・・・・・・末端台部
４４・・・・・・スプリング
４２１・・・・・挟着部
４６・・・・・・取付穴
３３・・・・・・端板
４３・・・・・・滑り溝
４３１・・・・・斜め溝
４３２・・・・・溝係止端
５０・・・・・・摺動蓋体
５１・・・・・・緩衝溝
５２・・・・・・スプリング溝
５１０・・・・・挟持端部
５２１・・・・・係合部
５３・・・・・・楕円形通し穴
５４・・・・・・収容凹部
６０・・・・・・揺動部材
６１・・・・・・突起ピン
６２・・・・・・案内つば
７０・・・・・・連動部
７１・・・・・・固定部
７２・・・・・・連動溝
７２０・・・・・接ぎあわせ溝
７２１・・・・・側面調整溝
７２２・・・・・斜め係止溝
２４・・・・・・取付穴
２２、２３・・・固着溝
８０・・・・・・緩衝係止具
８１、８２・・・固着部
８３・・・・・・取付穴
８４・・・・・・側面保護部
８５・・・・・・弾性曲面アーム
８６・・・・・・支え棒
【図１】
0003164269.tif 000003
【図２】
0003164269.tif 000004
【図３】
0003164269.tif 000005
【図４】
0003164269.tif 000006
【図５】
0003164269.tif 000007
【図６】
0003164269.tif 000008
【図７】
0003164269.tif 000009
【図８Ａ】
0003164269.tif 000010
【図８Ｂ】
0003164269.tif 000011
【図９Ａ】
0003164269.tif 000012
【図９Ｂ】
0003164269.tif 000013
【図９Ｃ】
0003164269.tif 000014
【図１０】
0003164269.tif 000015